(57)【要約】【課題】パネルの温度が高温であっても、安定した維持放電を行うとともに、従来よりも無効電力を低下させ、発光効率を向上させる。【解決手段】表示電極対を有する放電セルを複数備えたプラズマディスプレイパネルと、表示電極対の電極間容量とインダクタとを共振させて維持パルスの立ち上がりまたは立ち下がりを行う電力回収回路と維持パルスの電圧を所定の電圧にクランプするクランプ回路とを有し、１フィールド期間内に複数設けたサブフィールドの維持期間において輝度重みに応じた回数の維持パルスを発生させて表示電極対のそれぞれに印加する維持パルス発生回路と、プラズマディスプレイパネルの温度状態を検出するパネル温度判断部とを備え、パネル温度判断部が高温と判断したときには、維持パルス発生回路は、常温または低温と判断したときよりも、維持パルスの立ち上がり期間を短くする。【選択図】図７
2009282417.tif 000002
【特許請求の範囲】
【請求項１】
走査電極と維持電極とからなる表示電極対を有する放電セルを複数備えたプラズマディスプレイパネルと、前記表示電極対の電極間容量とインダクタとを共振させて維持パルスの立ち上がりまたは立ち下がりを行う電力回収回路と前記維持パルスの電圧を所定の電圧にクランプするクランプ回路とを有し、１フィールド期間内に複数設けたサブフィールドの維持期間に輝度重みに応じた回数の維持パルスを発生させて前記表示電極対のそれぞれに印加する維持パルス発生回路と、前記プラズマディスプレイパネルの温度状態を検出するパネル温度判断部とを備え、
前記パネル温度判断部が高温と判断したときには、前記維持パルス発生回路は、常温または低温と判断したときよりも、立ち上がり期間を短くするように前記維持パルスを制御することを特徴とするプラズマディスプレイの駆動方法。
【請求項２】
走査電極と維持電極とからなる表示電極対を有する放電セルを複数備えたプラズマディスプレイパネルと、前記表示電極対の電極間容量とインダクタとを共振させて維持パルスの立ち上がりまたは立ち下がりを行う電力回収回路と前記維持パルスの電圧を所定の電圧にクランプするクランプ回路とを有し、１フィールド期間内に複数設けたサブフィールドの維持期間に輝度重みに応じた回数の維持パルスを発生させて前記表示電極対のそれぞれに印加する維持パルス発生回路と、前記プラズマディスプレイパネルの温度状態を検出するパネル温度判断部とを備え、
前記パネル温度判断部が高温と判断したときには、前記維持パルス発生回路は、常温または低温と判断したときよりも、立ち下がり期間を短くするように前記維持パルスを制御することを特徴とするプラズマディスプレイの駆動方法。
【請求項３】
走査電極と維持電極とからなる表示電極対を有する放電セルを複数備えたプラズマディスプレイパネルと、前記表示電極対の電極間容量とインダクタとを共振させて維持パルスの立ち上がりまたは立ち下がりを行う電力回収回路と前記維持パルスの電圧を所定の電圧にクランプするクランプ回路とを有し、１フィールド期間内に複数設けたサブフィールドの維持期間に輝度重みに応じた回数の維持パルスを発生させて前記表示電極対のそれぞれに印加する維持パルス発生回路と、前記プラズマディスプレイパネルの温度状態を検出するパネル温度判断部とを備え、
前記パネル温度判断部が高温と判断したときには、前記維持パルス発生回路は、常温または低温と判断したときよりも、前記表示電極対の一方の電極に印加する維持パルスの立ち上がりを行う期間と、前記表示電極対の他方の電極に印加する維持パルスの立ち下がりを行う期間とが重複する重複期間を短くすることを特徴とするプラズマディスプレイの駆動方法。
【請求項４】
走査電極と維持電極とからなる表示電極対を有する放電セルを複数備えたプラズマディスプレイパネルと、前記表示電極対の電極間容量とインダクタとを共振させて維持パルスの立ち上がりまたは立ち下がりを行う電力回収回路と前記維持パルスの電圧を所定の電圧にクランプするクランプ回路とを有し、１フィールド期間内に複数設けたサブフィールドの維持期間に輝度重みに応じた回数の維持パルスを発生させて前記表示電極対のそれぞれに印加する維持パルス発生回路と、前記プラズマディスプレイパネルの温度状態を検出するパネル温度判断部とを備え、
前記パネル温度判断部が高温と判断したときには、前記維持パルス発生回路は、常温または低温と判断したときよりも、周期を長くするように前記維持パルスを制御することを特徴とするプラズマディスプレイの駆動方法。
【請求項５】
放電セルの点灯率をサブフィールド毎に検出する点灯率検出部をさらに備え、
パネル温度判断部が高温と判断したときには、前記点灯率検出部が高点灯率と検出したサブフィールドにおいてのみ維持パルスを制御することを特徴とする請求項１乃至請求項４のいずれかに記載のプラズマディスプレイパネルの駆動方法。
【請求項６】
放電セルの点灯時間を検出する点灯時間検出部をさらに備え、
パネル温度判断部が高温と判断したときには、前記点灯時間検出部が検出した点灯時間に応じて、維持パルスを制御することを特徴とする請求項１乃至請求項４のいずれかに記載のプラズマディスプレイパネルの駆動方法。
【発明の詳細な説明】
【技術分野】
【０００１】
本発明は、壁掛けテレビや大型モニターに用いられるプラズマディスプレイ装置およびプラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極とが対向する部分に放電セルが形成される。
【０００３】
このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００４】
パネルを駆動する方法としては、サブフィールド法、すなわち、１フィールド期間を複数のサブフィールドに分割した上で、発光させるサブフィールドの組み合わせによって階調表示を行う方法が一般に用いられている。
【０００５】
各サブフィールドは、初期化期間、書込み期間および維持期間を有する。初期化期間では初期化放電を発生し、続く書込み動作に必要な壁電荷を各電極上に形成するとともに、書込み放電を安定して発生させるためのプライミング粒子（放電のための起爆剤＝励起粒子）を発生させる。書込み期間では、表示を行うべき放電セルに選択的に書込みパルス電圧を印加して書込み放電を発生させ壁電荷を形成する（以下、この動作を「書込み」とも記す）。そして維持期間では、走査電極と維持電極とからなる表示電極対に交互に維持パルス電圧を印加し、書込み放電を起こした放電セルで維持放電を発生させ、対応する放電セルの蛍光体層を発光させることにより画像表示を行う。
【０００６】
一方、近年においては、パネルの高精細化、大画面化に伴い、プラズマディスプレイ装置におけるさらなる画像表示品質の向上が望まれている。パネルの高輝度化は画像表示品質を向上させる有効な手段のひとつであるため、パネルの発光効率を向上させ、輝度を向上させる様々な取り組みがなされている。例えば、キセノン分圧を高めることにより発光効率を大幅に高める検討が進められている。しかし、キセノン分圧を高めると放電の発生するタイミングのバラツキが大きくなり、放電セル毎の発光強度にバラツキを生じて表示輝度が不均一になることがあった。この輝度の不均一を改善するために、例えば複数回に１回の割合で立ち上がりの急峻な維持パルスを挿入して維持放電のタイミングを揃え、表示輝度を均一化する駆動方法が開示されている（例えば、特許文献１参照）。
【特許文献１】特開２００５−３３８１２０号公報
【発明の開示】
【発明が解決しようとする課題】
【０００７】
パネルを点灯させていると、放電や回路などの熱により、パネルの温度が上昇してくる。このとき、パネルの走査電極および維持電極の抵抗値はパネルの温度が高くなるにつれて高くなる。放電セルが維持放電をする際に発生する走査電極および維持電極における電圧降下は、走査電極および維持電極の抵抗値に比例するため、パネル温度が高くなるにつれて大きくなってくる。つまり、印加されている維持パルス電圧は、維持放電による電圧降下があるために、それよりも低い温度の維持パルス電圧に比べて、実際は低い電圧になる。したがって、維持パルスは、パネルの温度上昇に伴う維持電圧の電圧降下を考慮した設定にしなければならない。
【０００８】
以上のことから、従来の維持パルスは、パネルが高温になった場合を想定した維持パルスに設定されており、たとえば、維持パルスの立ち上がり期間や立ち下がり期間を常温で想定した場合に対して短く設定し、維持パルスの維持電圧保持期間を長くすることで、維持電圧の電圧降下が起きても、安定した維持放電を行っている。しかしながら、上述のように維持パルスの立ち上がり期間や立ち下がり期間を短く設定することは、無効電力の増大やパネルの発光効率の低下を生じさせるという課題があった。
【０００９】
本発明はこれらの課題に鑑みなされたものであり、無効電力を減少させ、パネルの発光効率を向上させることのできるプラズマディスプレイの駆動方法を提供することを目的とする。
【課題を解決するための手段】
【００１０】
本発明のプラズマディスプレイの駆動方法は、走査電極と維持電極とからなる表示電極対を有する放電セルを複数備えたプラズマディスプレイパネルと、表示電極対の電極間容量とインダクタとを共振させて維持パルスの立ち上がりまたは立ち下がりを行う電力回収回路と維持パルスの電圧を所定の電圧にクランプするクランプ回路とを有し、１フィールド期間内に複数設けた初期化期間と書込み期間と維持期間とを有するサブフィールドの維持期間において輝度重みに応じた回数の維持パルスを発生させて表示電極対のそれぞれに印加する維持パルス発生回路と、プラズマディスプレイパネルの温度状態を検出するパネル温度判断部とを備え、パネル温度判断部が高温と判断したときには、維持パルス発生回路は、常温または低温と判断したときよりも、維持パルスの立ち上がり期間を短くすることを特徴とする。
【００１１】
これにより、高温の時のみ維持パルスの立ち上がり期間を短くすることで、高温の時以外では、従来よりも無効電力を減少させ、発光効率を向上させることが可能となる。
【００１２】
また、本発明のプラズマディスプレイの駆動方法は、パネル温度判断部が高温と判断したときには、維持パルス発生回路は、常温または低温と判断したときよりも、維持パルスの立ち下がり期間を短くしてもよい。
【００１３】
また、本発明のプラズマディスプレイの駆動方法は、パネル温度判断部が高温と判断したときには、維持パルス発生回路は、常温または低温と判断したときよりも、表示電極対の一方に印加する維持パルスの立ち上がりを行う期間と、前記表示電極対の他方に印加する維持パルスの立ち下がりを行う期間とが重複する重複期間を短くしてもよい。
【００１４】
また、本発明のプラズマディスプレイの駆動方法は、パネル温度判断部が高温と判断したときには、維持パルス発生回路は、常温または低温と判断したときよりも、維持パルスの周期を長くしてもよい。
【００１５】
この場合、維持周期を長くすることは、維持パルスの維持電圧保持期間を延ばすことであり、維持パルスの立ち上がり期間や立ち下がり、維持パルスの重複期間は変化させない。よって、高温の時のみ駆動時間が長く必要になるだけで、従来に対してどの温度においても、無効電力を減少させ、発光効率を向上させることが可能となる。
【００１６】
また、本発明のプラズマディスプレイの駆動方法は、パネル温度判断部が高温と判断したときには、上述した４つの駆動方法の少なくとも２つ以上の駆動方法を組み合わせた構成にしてもよい。維持パルスの立ち上がり期間や立ち下がり期間、パルスの重複期間、維持パルスの周期は、維持放電に関連する様々な表示品質（たとえば、残像や輝度ムラなど）に影響を及ぼす。この駆動方法の場合は、高温のときの維持パルスの変化を様々に組み合わせできることから、各表示品質の影響を考慮しながら、最適な維持パルスの設定をすることができる。
【００１７】
また、本発明のプラズマディスプレイの駆動方法は、低階調のサブフィールドの維持パルスに限定した構成にしてもよい。
【００１８】
また、本発明のプラズマディスプレイの駆動方法は、走査電極と維持電極とからなる表示電極対を有する放電セルを複数備えたプラズマディスプレイパネルと、表示電極対の電極間容量とインダクタとを共振させて維持パルスの立ち上がりまたは立ち下がりを行う電力回収回路と維持パルスの電圧を所定の電圧にクランプするクランプ回路とを有し、１フィールド期間内に複数設けた初期化期間と書込み期間と維持期間とを有するサブフィールドの維持期間において輝度重みに応じた回数の維持パルスを発生させて表示電極対のそれぞれに印加する維持パルス発生回路と、プラズマディスプレイパネルの温度状態を検出するパネル温度判断部と、放電セルの点灯率をサブフィールド毎に検出する点灯率検出部とを備え、パネル温度判断部が高温と判断したときには、点灯率検出部が高点灯率と検出したサブフィールドの維持パルスに限定して、上述のように維持パルスを変化させる構成にしてもよい。
【００１９】
これにより、高温のとき以外は従来に対して、無効電力を減少させ、発光効率を向上させることはもちろん、高温のときに高点灯率と検出したサブフィールドの維持パルスに限定することから、高温のときの無効電力の増大や発光効率の低下を極力抑制することができる。
【００２０】
また、本発明のプラズマディスプレイの駆動方法は、走査電極と維持電極とからなる表示電極対を有する放電セルを複数備えたプラズマディスプレイパネルと、表示電極対の電極間容量とインダクタとを共振させて維持パルスの立ち上がりまたは立ち下がりを行う電力回収回路と維持パルスの電圧を所定の電圧にクランプするクランプ回路とを有し、１フィールド期間内に複数設けた初期化期間と書込み期間と維持期間とを有するサブフィールドの維持期間において輝度重みに応じた回数の維持パルスを発生させて表示電極対のそれぞれに印加する維持パルス発生回路と、プラズマディスプレイパネルの温度状態を検出するパネル温度判断部と、放電セルの点灯率をサブフィールド毎に検出する点灯率検出部と、放電セルの点灯時間を検出する点灯時間検出部とを備え、パネル温度判断部が高温と判断したときには、点灯時間検出部が検出した点灯時間に応じて、上述した維持パルスに変化させる駆動方法にしてもよい。
【００２１】
これにより、高温のとき以外は従来に対して、無効電力を減少させ、発光効率を向上させることはもちろん、高温のときは点灯時間検出部が検出した点灯時間に応じて、維持パルスを変化させるために、高温のときの無効電力の増大や発光効率の低下を極力抑制することができる。
【発明の効果】
【００２２】
本発明によれば、無効電力を減少させ、パネルの発光効率を向上させることのできる駆動方法を提供することが可能となる。
【発明を実施するための最良の形態】
【００２３】
以下、本発明の実施の形態におけるプラズマディスプレイ装置について、図面を用いて説明する。
【００２４】
（実施の形態１）
図１は、本発明の一実施の形態におけるパネル１０の構造を示す分解斜視図である。ガラス製の前面板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。
【００２５】
また、保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れたＭｇＯを主成分とする材料から形成されている。
【００２６】
背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２７】
これら前面板２１と背面板３１とは、微小な放電空間を挟んで表示電極対２４とデータ電極３２とが交差するように対向配置され、その外周部をガラスフリット等の封着材によって封着されている。そして放電空間には、例えばネオンとキセノンの混合ガスが放電ガスとして封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００２８】
なお、パネル１０の構造は上述したものに限られるわけではなく、例えばストライプ状の隔壁を備えたものであってもよい。また、（実施の形態１）では、輝度向上のためにキセノン分圧を約１０％とした放電ガスを用いているが、放電ガスの混合比率をこの数値に限定するものではなく、その他の混合比率であってもよい。
【００２９】
図２は、本発明の一実施の形態におけるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。なお、図１、図２に示したように、走査電極ＳＣｉと維持電極ＳＵｉとは互いに平行に対をなして形成されているために、走査電極ＳＣ１〜ＳＣｎと維持電極ＳＵ１〜ＳＵｎとの間に大きな電極間容量Ｃｐが存在する。
【００３０】
次に、パネル１０を駆動するための駆動電圧波形とその動作の概要について説明する。（実施の形態１）におけるプラズマディスプレイ装置は、サブフィールド法、すなわち１フィールド期間を複数のサブフィールドに分割し、サブフィールド毎に各放電セルの発光・非発光を制御することによって階調表示を行う。それぞれのサブフィールドは、初期化期間、書込み期間および維持期間を有する。
【００３１】
各サブフィールドにおいて、初期化期間では初期化放電を発生し、続く書込み放電に必要な壁電荷を各電極上に形成する。加えて、放電遅れを小さくし書込み放電を安定して発生させるためのプライミング粒子（放電のための起爆剤＝励起粒子）を発生させるという働きを持つ。このときの初期化動作には、全ての放電セルで初期化放電を発生させる初期化動作（以下、「全セル初期化動作」と略記する）と、直前のサブフィールドで維持放電を行った放電セルだけで選択的に初期化放電を発生させる初期化動作（以下、「選択初期化動作」と略記する）とがある。
【００３２】
書込み期間では、後に続く維持期間において発光させるべき放電セルで選択的に書込み放電を発生し壁電荷を形成する。そして維持期間では、輝度重みに比例した数の維持パルスを表示電極対２４に交互に印加して、書込み放電を発生した放電セルで維持放電を発生させて発光させる。このときの比例定数を「輝度倍率」と呼ぶ。
【００３３】
図３は、本発明の一実施の形態におけるサブフィールド構成を示す図である。なお、図３は、サブフィールド法における１フィールド期間の駆動波形の概略を示したものであり、駆動電圧波形の詳細は後述する。
【００３４】
（実施の形態１）では、１フィールドを１０のサブフィールド（第１サブフィールド、第２サブフィールド、・・・、第１０サブフィールド）で構成し、各サブフィールドはそれぞれ、例えば（１、２、３、６、１１、１８、３０、４４、６０、８０）の輝度重みを持つものとする。そして、第１サブフィールドの初期化期間では全セル初期化動作を行い、第２サブフィールド〜第１０サブフィールドの初期化期間では選択初期化動作を行うものとする。これにより、画像の表示に関係のない発光は第１サブフィールドにおける全セル初期化動作の放電に伴う発光のみとなり、黒表示領域の輝度（以下、「黒輝度」と略記する）は全セル初期化動作における微弱発光だけとなって、コントラストの高い画像表示が可能となる。また、各サブフィールドの維持期間においては、それぞれのサブフィールドの輝度重みに所定の輝度倍率を乗じた数の維持パルスを表示電極対２４のそれぞれに印加する。
【００３５】
しかし、（実施の形態１）は、サブフィールド数や各サブフィールドの輝度重みが上記の値に限定されるものではなく、また、画像信号等にもとづいてサブフィールド構成を切り替える構成であってもよい。
【００３６】
なお、（実施の形態１）では、後述するパネル温度推定回路にある温度センサが検出するパネル１０周辺の温度、すなわち筐体内部の温度と所定のしきい値との比較によってパネル１０の温度（以下、「パネル温度」と表記する）を推定している。このパネル温度に応じて維持パルス波形を制御している。これにより、無効電力を減少させ、パネルの発光効率を向上させることができる。以下、まず駆動電圧波形の概要および駆動回路の構成について説明し、続いて、パネル温度に応じて制御する維持パルス波形の違いについて説明する。
【００３７】
図４は、本発明の一実施の形態におけるパネル１０の各電極に印加する駆動電圧波形図である。図４には、２つのサブフィールドの駆動電圧波形、すなわち全セル初期化動作を行うサブフィールド（以下、「全セル初期化サブフィールド」と呼称する）と、選択初期化動作を行うサブフィールド（以下、「選択初期化サブフィールド」と呼称する）とを示しているが、他のサブフィールドにおける駆動電圧波形もほぼ同様である。
【００３８】
まず、全セル初期化サブフィールドである第１サブフィールドについて説明する。
【００３９】
第１サブフィールドの初期化期間前半部では、データ電極Ｄ１〜Ｄｍ、維持電極ＳＵ１〜ＳＵｎにそれぞれ０（Ｖ）を印加し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧（以下、「上りランプ波形電圧」と呼称する）を印加する。
【００４０】
この上りランプ波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が持続して起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。ここで、電極上部の壁電圧とは電極を覆う誘電体層上、保護層上、蛍光体層上等に蓄積された壁電荷により生じる電圧を表す。
【００４１】
初期化期間後半部では、維持電極ＳＵ１〜ＳＵｎに正の電圧Ｖｅ１を印加し、データ電極Ｄ１〜Ｄｍに０（Ｖ）を印加し、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧（以下、「下りランプ波形電圧」と呼称する）を印加する。この間に、走査電極ＳＣ１〜ＳＣｎと維持電極ＳＵ１〜ＳＵｎ、データ電極Ｄ１〜Ｄｍとの間でそれぞれ微弱な初期化放電が持続して起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。以上により、全ての放電セルに対して初期化放電を行う全セル初期化動作が終了する。
【００４２】
なお、図４の第２サブフィールドの初期化期間に示したように、初期化期間の前半部を省略した駆動電圧波形を各電極に印加してもよい。すなわち、維持電極ＳＵ１〜ＳＵｎに電圧Ｖｅ１を、データ電極Ｄ１〜Ｄｍに０（Ｖ）をそれぞれ印加し、走査電極ＳＣ１〜ＳＣｎに電圧Ｖｉ３’から電圧Ｖｉ４に向かって緩やかに下降する傾斜波形電圧を印加する。これにより前のサブフィールドの維持期間で維持放電を起こした放電セルでは微弱な初期化放電が発生し、走査電極ＳＣｉ上部および維持電極ＳＵｉ上部の壁電圧が弱められる。また直前の維持放電によってデータ電極Ｄｋ（ｋ＝１〜ｍ）上部に十分な正の壁電圧が蓄積されている放電セルでは、この壁電圧の過剰な部分が放電され書込み動作に適した壁電圧に調整される。一方、前のサブフィールドで維持放電を起こさなかった放電セルについては放電することはなく、前のサブフィールドの初期化期間終了時における壁電荷がそのまま保たれる。このように前半部を省略した初期化動作は、直前のサブフィールドの維持期間で維持動作を行った放電セルに対して初期化放電を行う選択初期化動作となる。
【００４３】
続く書込み期間では、維持電極ＳＵ１〜ＳＵｎに電圧Ｖｅ２を、走査電極ＳＣ１〜ＳＣｎに電圧Ｖｃを印加する。
【００４４】
そして、１行目の走査電極ＳＣ１に負の走査パルス電圧Ｖａを印加するとともに、データ電極Ｄ１〜Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧との差が加算されたものとなり放電開始電圧を超える。これにより、データ電極Ｄｋと走査電極ＳＣ１との間に放電が発生する。また、維持電極ＳＵ１〜ＳＵｎに電圧Ｖｅ２を印加しているため、維持電極ＳＵ１上と走査電極ＳＣ１上との電圧差は、外部印加電圧の差である（Ｖｅ２−Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には到らないが放電が発生しやすい状態とすることができる。これにより、データ電極Ｄｋと走査電極ＳＣ１との間に発生する放電を引き金にして、データ電極Ｄｋと交差する領域にある維持電極ＳＵ１と走査電極ＳＣ１との間に放電を発生させることができる。こうして、発光させるべき放電セルに書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００４５】
このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜Ｄｍと走査電極ＳＣ１との交差部の電圧は放電開始電圧を超えないので、書込み放電は発生しない。以上の書込み動作をｎ行目の放電セルに至るまで行い、書込み期間が終了する。
【００４６】
続く維持期間では、まず走査電極ＳＣ１〜ＳＣｎに正の維持パルス電圧Ｖｓを印加するとともに維持電極ＳＵ１〜ＳＵｎにベース電位となる接地電位、すなわち０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。
【００４７】
そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００４８】
続いて、走査電極ＳＣ１〜ＳＣｎにはベース電位となる０（Ｖ）を、維持電極ＳＵ１〜ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに輝度倍率を乗じた数の維持パルスを印加し、表示電極対２４の電極間に電位差を与えることにより、書込み期間において書込み放電を起こした放電セルで維持放電が継続して行われる。
【００４９】
そして、維持期間の最後には走査電極ＳＣ１〜ＳＣｎと維持電極ＳＵ１〜ＳＵｎとの間にいわゆる細幅パルス状の電圧差を与えて、データ電極Ｄｋ上の正の壁電圧を残したまま、走査電極ＳＣｉおよび維持電極ＳＵｉ上の壁電圧を調整している。
【００５０】
続くサブフィールドの動作は、維持期間の維持パルスの数を除いて上述の動作とほぼ同様であるため説明を省略する。以上が、（実施の形態１）におけるパネル１０の各電極に印加する駆動電圧波形の概要である。
【００５１】
次に、（実施の形態１）におけるプラズマディスプレイ装置の構成について説明する。図５は、本発明の一実施の形態におけるプラズマディスプレイ装置の回路ブロック図である。プラズマディスプレイ装置１は、パネル１０、画像信号処理回路４１、データ電極駆動回路４２、走査電極駆動回路４３、維持電極駆動回路４４、タイミング発生回路４５、温度センサを持つ温度推定回路４６および各回路ブロックに必要な電源を供給する電源回路（図示せず）を備えている。
【００５２】
画像信号処理回路４１は、入力された画像信号ｓｉｇをサブフィールド毎の発光・非発光を示す画像データに変換する。データ電極駆動回路４２はサブフィールド毎の画像データを各データ電極Ｄ１〜Ｄｍに対応する信号に変換し各データ電極Ｄ１〜Ｄｍを駆動する。
【００５３】
温度推定回路４６は、温度を検出するために用いられる熱電対等の一般に知られた素子からなる温度センサ７０を有し、温度センサ７０で検出されたパネル１０周辺の温度、すなわち筐体内部の温度からパネル１０のパネル温度を算出する。パネル温度の算出方法としては、例えば、温度センサ７０が検出した温度にあらかじめ設定した補正値を加算する方法を用いることができる。そして、算出したパネル温度をあらかじめ定めた高温しきい値および低温しきい値と比較してパネル温度が常温か高温か低温かを判断し、その判断の結果が切換わったときにそれを表す信号をタイミング発生回路４５に出力する。具体的には、パネル温度が常温から高温になったと判断したとき、すなわちパネル温度が高温しきい値未満から高温しきい値以上になったときと、パネル温度が高温から常温になったと判
断したとき、すなわちパネル温度が高温しきい値以上から高温しきい値未満になったときと、パネル温度が常温から低温になったと判断したとき、すなわちパネル温度が低温しきい値以上から低温しきい値未満になったときと、パネル温度が常温から低温になったと判断したとき、すなわちパネル温度が低温しきい値未満から低温しきい値以上になったときとに、それぞれ判断の結果が切換ったことを示す信号をタイミング発生回路４５に出力する。
【００５４】
なお、（実施の形態１）では、高温しきい値を６０℃に設定しているが、何らこれらの数値に限定されるものではなく、プラズマディスプレイ装置の仕様、パネルの特性、駆動回路の特性等にもとづいて適宜最適な値に設定することが望ましい。
【００５５】
タイミング発生回路４５は水平同期信号Ｈ、垂直同期信号Ｖおよび温度推定回路４６が算出したパネル温度をもとにして各回路ブロックの動作を制御する各種のタイミング信号を発生し、それぞれの回路ブロックへ供給する。そして、上述したように、（実施の形態１）においては、維持パルス波形の立ち上がりを、パネル温度にもとづいて制御しており、それに応じたタイミング信号を走査電極駆動回路４３および維持電極駆動回路４４に出力する。これにより、無効電力を減少させ、パネルの発光効率を向上させることができる維持パルスを制御する。
【００５６】
走査電極駆動回路４３は、初期化期間において走査電極ＳＣ１〜ＳＣｎに印加する初期化波形電圧を発生するための初期化波形発生回路（図示せず）、維持期間において走査電極ＳＣ１〜ＳＣｎに印加する維持パルス電圧を発生するための維持パルス発生回路５０、書込み期間において走査電極ＳＣ１〜ＳＣｎに印加する走査パルス電圧を発生するための走査パルス発生回路（図示せず）を有し、タイミング信号にもとづいて各走査電極ＳＣ１〜ＳＣｎをそれぞれ駆動する。維持電極駆動回路４４は、維持パルス発生回路６０および電圧Ｖｅ１、電圧Ｖｅ２を発生するための回路を備え、タイミング信号にもとづいて維持電極ＳＵ１〜ＳＵｎを駆動する。
【００５７】
次に、維持パルス発生回路５０、維持パルス発生回路６０の詳細とその動作について説明する。図６は、本発明の一実施の形態における維持パルス発生回路５０、維持パルス発生回路６０の回路図である。なお、図６にはパネル１０の電極間容量をＣｐとして示し、走査パルスおよび初期化電圧波形を発生させる回路は省略している。
【００５８】
維持パルス発生回路５０は、電力回収回路５１とクランプ回路５２とを備えており、電力回収回路５１およびクランプ回路５２は、走査パルス発生回路（維持期間中は短絡状態となるため図示せず）を介してパネル１０の電極間容量Ｃｐの一端である走査電極ＳＣ１〜ＳＣｎに接続されている。
【００５９】
電力回収回路５１は、電力回収用のコンデンサＣ１０、スイッチング素子Ｑ１１、Ｑ１２、逆流防止用のダイオードＤ１１、Ｄ１２、共振用のインダクタＬ１０を有している。そして、電極間容量ＣｐとインダクタＬ１０とをＬＣ共振させて維持パルスの立ち上がりおよび立ち下がりを行う。このように、電力回収回路５１は電源から電力を供給されることなくＬＣ共振によって走査電極ＳＣ１〜ＳＣｎの駆動を行うため、理想的には消費電力が０となる。なお、電力回収用のコンデンサＣ１０は電極間容量Ｃｐに比べて十分に大きい容量を持ち、電力回収回路５１の電源として働くように、電圧値Ｖｓの半分の約Ｖｓ／２に充電されている。
【００６０】
クランプ回路５２は、走査電極ＳＣ１〜ＳＣｎを電圧Ｖｓにクランプするためのスイッチング素子Ｑ１３、走査電極ＳＣ１〜ＳＣｎを０（Ｖ）にクランプするためのスイッチング素子Ｑ１４を有している。そして、スイッチング素子Ｑ１３を介して走査電極ＳＣ１〜ＳＣｎを電源ＶＳに接続して電圧Ｖｓにクランプし、スイッチング素子Ｑ１４を介して走査電極ＳＣ１〜ＳＣｎを接地して０（Ｖ）にクランプする。したがって、電圧クランプ回路５２による電圧印加時のインピーダンスは小さく、強い維持放電による大きな放電電流を安定して流すことができる。
【００６１】
そして、維持パルス発生回路５０は、タイミング発生回路４５から出力されるタイミング信号によりスイッチング素子Ｑ１１、Ｑ１２、Ｑ１３、Ｑ１４の導通と遮断とを切換えることによって電力回収回路５１と電圧クランプ回路５２とを動作させ、維持パルス波形を発生させる。この詳細については後述する。なお、これらのスイッチング素子は、ＭＯサブフィールドＥＴやＩＧＢＴ等の一般に知られた素子を用いて構成することができる。
【００６２】
維持パルス発生回路６０は、電力回収用のコンデンサＣ２０、スイッチング素子Ｑ２１、Ｑ２２、逆流防止用のダイオードＤ２１、Ｄ２２、共振用のインダクタＬ２０を有する電力回収回路６１と、維持電極ＳＵ１〜ＳＵｎを電圧Ｖｓにクランプするためのスイッチング素子Ｑ２３および維持電極ＳＵ１〜ＳＵｎを接地電位にクランプするためのスイッチング素子Ｑ２４を有するクランプ回路６２とを備え、パネル１０の電極間容量Ｃｐの一端である維持電極ＳＵ１〜ＳＵｎに接続されている。なお、維持パルス発生回路６０の動作は維持パルス発生回路５０と同様であるので説明を省略する。
【００６３】
また、図６には、電圧Ｖｅ１を発生する電源ＶＥ１、電圧Ｖｅ１を維持電極ＳＵ１〜ＳＵｎに印加するためのスイッチング素子Ｑ２６、Ｑ２７、電圧ΔＶｅを発生する電源ΔＶＥ、逆流防止用のダイオードＤ３０、コンデンサＣ３０、電圧Ｖｅ１に電圧ΔＶｅを積み上げて電圧Ｖｅ２とするためのスイッチング素子Ｑ２８、Ｑ２９を示している。例えば、図４に示した電圧Ｖｅ１を印加するタイミングでは、スイッチング素子Ｑ２６、Ｑ２７を導通させて維持電極ＳＵ１〜ＳＵｎにダイオードＤ３０、スイッチング素子Ｑ２６、Ｑ２７を介して正の電圧Ｖｅ１を印加する。なお、このときスイッチング素子Ｑ２８を導通させ、コンデンサＣ３０の電圧が電圧Ｖｅ１になるように充電しておく。また、図４に示した電圧Ｖｅ２を印加するタイミングでは、スイッチング素子Ｑ２６、Ｑ２７は導通させたまま、スイッチング素子Ｑ２８を遮断させるとともにスイッチング素子Ｑ２９を導通させてコンデンサＣ３０の電圧に電圧ΔＶｅを重畳し、維持電極ＳＵ１〜ＳＵｎに電圧Ｖｅ１＋ΔＶｅ、すなわち電圧Ｖｅ２を印加する。このとき、逆流防止用のダイオードＤ３０の働きにより、コンデンサＣ３０から電源ＶＥ１への電流は遮断される。
【００６４】
なお、電圧Ｖｅ１、電圧Ｖｅ２を印加する回路については、図６に示した回路に限定されるものではなく、例えば、電圧Ｖｅ１を発生させる電源と電圧Ｖｅ２を発生させる電源とそれぞれの電圧を維持電極ＳＵ１〜ＳＵｎに印加するための複数のスイッチング素子とを用いて、それぞれの電圧を必要なタイミングで維持電極ＳＵ１〜ＳＵｎ印加する構成とすることもできる。
【００６５】
なお、電力回収回路５１のインダクタＬ１０とパネル１０の電極間容量ＣｐとのＬＣ共振の周期、および電力回収回路６１のインダクタＬ２０と同電極間容量ＣｐとのＬＣ共振の周期（以下、「共振周期」と記す）は、インダクタＬ１０、Ｌ２０のインダクタンスをそれぞれＬとすれば、計算式「２π√（ＬＣｐ）」によって求めることができる。そして、（実施の形態１）では、電力回収回路５１、６１における共振周期が約１７００ｎｓｅｃになるようにインダクタＬ１０、Ｌ２０を設定しているが、この数値は実施の形態における一例に過ぎず、パネルの特性やプラズマディスプレイ装置の仕様等に合わせて最適な値に設定すればよい。
【００６６】
次に、維持期間における駆動電圧波形の詳細について説明する。図７は、本発明の一実施の形態における維持パルス発生回路５０、維持パルス発生回路６０の動作を説明するためのタイミングチャートである。ここでは、維持パルスの繰返し周期（以下、「維持周期」と略記する）の１周期分をＴ１〜Ｔ６で示した６つの期間に分割し、それぞれの期間について説明する。
【００６７】
なお、以下の説明においてスイッチング素子を導通させる動作をオン、遮断させる動作をオフと表記し、図面にはスイッチング素子をオンさせる信号を「ＯＮ」、オフさせる信号を「ＯＦＦ」と表記する。また、図７では、正極の波形を用いて説明をするが、本発明はこれに限るものではない。例えば、負極の波形における実施の形態例は省略するが、以下の説明の正極の波形において「立ち上がり」と表現しているものを、負極の波形においては「立ち下がり」に読みかえることで、負極の波形であっても同様の効果を得ることができるものである。
【００６８】
（期間Ｔ１）
時刻ｔ１でスイッチング素子Ｑ１２をオンにする。すると、走査電極ＳＣ１〜ＳＣｎ側の電荷はインダクタＬ１０、ダイオードＤ１２、スイッチング素子Ｑ１２を通してコンデンサＣ１０に流れ始め、走査電極ＳＣ１〜ＳＣｎの電圧が下がり始める。インダクタＬ１０と電極間容量Ｃｐとは共振回路を形成しているので、共振周期の１／２の時間経過後の時刻ｔ２ｂにおいて走査電極ＳＣ１〜ＳＣｎの電圧は０（Ｖ）付近まで低下する。しかし共振回路の抵抗成分等による電力損失のため、走査電極ＳＣ１〜ＳＣｎの電圧は０（Ｖ）までは下がらない。そして、時刻ｔ２ｂでスイッチング素子Ｑ１４をオンにする。すると、走査電極ＳＣ１〜ＳＣｎはスイッチング素子Ｑ１４を通して直接に接地されるため、走査電極ＳＣ１〜ＳＣｎの電圧は０（Ｖ）にクランプされる。
【００６９】
なお、この間、スイッチング素子Ｑ２４はオンに保持されており、維持電極ＳＵ１〜ＳＵｎは０（Ｖ）にクランプされている。
【００７０】
（期間Ｔ２）
そして、時刻ｔ２ｂでスイッチング素子Ｑ１４をオンにする。すると走査電極ＳＣ１〜ＳＣｎはスイッチング素子Ｑ１４を通して直接に接地されるため、走査電極ＳＣ１〜ＳＣｎの電圧は接地電位である０（Ｖ）にクランプされる。
【００７１】
また、（実施の形態１）では、時刻ｔ２ｂより所定の時間だけ早い時刻ｔ２ａでスイッチング素子Ｑ２１をオンにする。インダクタＬ２０と電極間容量Ｃｐとは共振回路を形成しているので、これにより、電力回収用のコンデンサＣ２０からスイッチング素子Ｑ２１、ダイオードＤ２１、インダクタＬ２０を通して維持電極ＳＵ１〜ＳＵｎへ電流が流れ始め、維持電極ＳＵ１〜ＳＵｎの電圧が上がり始める。インダクタＬ２０と電極間容量Ｃｐとの共振周期は約１７００ｎｓｅｃに設定されているため、時刻ｔ２ａから約８５０ｎｓｅｃ後には維持電極ＳＵ１〜ＳＵｎの電圧はほぼ電圧Ｖｓまで上昇する。しかし、時刻ｔ２ａから時刻ｔ３までの期間Ｔ２、すなわち電力回収回路６１を用いた維持パルスの立ち上がり期間を８００ｎｓｅｃに設定しているため、時刻ｔ３において維持電極ＳＵ１〜ＳＵｎの電圧はＶｓまでは上がらない。そして、温度推定回路４６において、判断したパネル温度が高温しきい値（（実施の形態１）では、６０℃）以上と判断したときには、この維持パルスの立ち上がり期間を７００ｎｓｅｃに切換わるように制御している。
【００７２】
なお、（実施の形態１）では、時刻ｔ２ｂより所定の時間だけ早い時刻ｔ２ａでスイッチング素子Ｑ２１をオンにすることで、期間Ｔ１と期間Ｔ２とが重複する期間を設けている。以下、この期間、すなわち時刻ｔ２ａから時刻ｔ２ｂまでの期間を「重複期間」と呼ぶ。
【００７３】
（期間Ｔ３）
そして時刻ｔ３でスイッチング素子Ｑ２３をオンにする。すると維持電極ＳＵ１〜ＳＵｎはスイッチング素子Ｑ２３を通して直接に電源ＶＳへ接続されるため、維持電極ＳＵ１〜ＳＵｎの電圧は電圧Ｖｓにクランプされ強制的にＶｓまで上昇する。これにより、書込み放電を起こした放電セルでは走査電極ＳＣｉ−維持電極ＳＵｉ間の電圧が放電開始電圧を超え維持放電が発生する。
【００７４】
そして、期間Ｔ３では維持電極ＳＵ１〜ＳＵｎの電圧は電圧Ｖｓに保たれており、この期間Ｔ３を十分な時間を確保することで、維持放電を安定に発生させることができる。
【００７５】
（実施の形態１）では、上述のように、温度推定回路４６において、判断したパネル温度にもとづき、維持パルスの立ち上がり期間を８００ｎｓｅｃと７００ｎｓｅｃとで切り替えるため、維持電極ＳＵ１〜ＳＵｎの電圧が電圧Ｖｓに保たれている期間Ｔ３も、パネル温度により変化をする。本実施形態では、この期間Ｔ３が、９５０ｎｓｅｃと１０５０ｎｓｅｃとに切り替わる。
【００７６】
このように、（実施の形態１）では、パネル温度にもとづき、維持パルスの立ち上がり期間を切り替えることで、パネル温度が高温のときには、パネル面内の維持放電が瞬時に行われ、維持放電時の電圧降下の影響を小さくすることができるとともに、維持放電を安定に発生させるに十分な維持電圧保持期間（期間Ｔ６）を確保することができるため、安定した維持放電が可能となる。また、パネル温度が高温ではないときには、維持パルスの立ち上がり期間（期間Ｔ２）を長く設定するために、無効電力を低下させ、パネルの発光効率を向上させることができる。
【００７７】
（期間Ｔ４）
時刻ｔ４でスイッチング素子Ｑ２２をオンにする。すると、維持電極ＳＵ１〜ＳＵｎ側の電荷はインダクタＬ２０、ダイオードＤ２２、スイッチング素子Ｑ２２を通してコンデンサＣ２０に流れ始め、維持電極ＳＵ１〜ＳＵｎの電圧が下がり始める。インダクタＬ２０と電極間容量Ｃｐとは共振回路を形成しているので、共振周期の１／２の時間経過後の時刻ｔ５ｂにおいて維持電極ＳＵ１〜ＳＵｎの電圧は０（Ｖ）付近まで低下する。しかし共振回路の抵抗成分等による電力損失のため、維持電極ＳＵ１〜ＳＵｎの電圧は０（Ｖ）までは下がらない。そして、時刻ｔ５ｂでスイッチング素子Ｑ２４をオンにする。すると、維持電極ＳＵ１〜ＳＵｎはスイッチング素子Ｑ２４を通して直接に接地されるため、維持電極ＳＵ１〜ＳＵｎの電圧は０（Ｖ）にクランプされる。
【００７８】
（期間Ｔ５）
そして、時刻ｔ５ｂでスイッチング素子Ｑ２４をオンにする。すると維持電極ＳＵ１〜ＳＵｎはスイッチング素子Ｑ２４を通して直接に接地されるため、維持電極ＳＵ１〜ＳＵの電圧は接地電位である０（Ｖ）にクランプされる。
【００７９】
また、（実施の形態１）では、時刻ｔ５ｂより所定の時間だけ早い時刻ｔ５ａでスイッチング素子Ｑ１１をオンにする。インダクタＬ１０と電極間容量Ｃｐとは共振回路を形成しているので、これにより、電力回収用のコンデンサＣ１０からスイッチング素子Ｑ１１、ダイオードＤ１１、インダクタＬ１０を通して走査電極ＳＣ１〜ＳＣｎへ電流が流れ始め、走査電極ＳＣ１〜ＳＣｎの電圧が上がり始める。インダクタＬ１０と電極間容量Ｃｐとの共振周期は約１７００ｎｓｅｃに設定されているため、時刻ｔ５ａから８５０ｎｓｅｃ後には走査電極ＳＣ１〜ＳＣｎの電圧はほぼ電圧Ｖｓまで上昇する。しかし、時刻ｔ５ａから時刻ｔ６までの期間Ｔ５、すなわち電力回収回路５１を用いた維持パルスの立ち上がり期間を８００ｎｓｅｃに設定しているため、時刻ｔ６において走査電極ＳＣ１〜ＳＣｎの電圧はＶｓまでは上がらない。そして、時刻ｔ２ａ〜時刻ｔ２ｂと同様に、温度推定回路４６において、判断したパネル温度が高温しきい値（（実施の形態１）では、６０℃）以上と判断したときには、この維持パルスの立ち上がり期間を７００ｎｓｅｃに切換わるように制御している。
【００８０】
なお、（実施の形態１）では、時刻ｔ５ｂより所定の時間だけ早い時刻ｔ５ａでスイッチング素子Ｑ１１をオンにすることで、期間Ｔ４と期間Ｔ５とが重複する重複期間を設けている。
【００８１】
（期間Ｔ６）
そして時刻ｔ６でスイッチング素子Ｑ１３をオンにする。すると走査電極ＳＣ１〜ＳＣｎはスイッチング素子Ｑ１３を通して直接に電源ＶＳへ接続されるため、走査電極ＳＣ１〜ＳＣｎの電圧は電圧Ｖｓにクランプされ強制的にＶｓまで上昇する。これにより、書込み放電を起こした放電セルでは走査電極ＳＣｉ−維持電極ＳＵｉ間の電圧が放電開始電圧を超え維持放電が発生する。
【００８２】
そして、期間Ｔ６では走査電極ＳＣ１〜ＳＣｎの電圧は電圧Ｖｓに保たれており、この期間Ｔ６を十分な時間を確保することで、維持放電を安定に発生させることができる。
【００８３】
（実施の形態１）では、上述のように、温度推定回路４６において、判断したパネル温度にもとづき、維持パルスの立ち上がり期間を８００ｎｓｅｃと７００ｎｓｅｃとで切り替えるため、維持電極ＳＵ１〜ＳＵｎの電圧が電圧Ｖｓに保たれている期間Ｔ３も、パネル温度により変化をする。本実施形態では、この期間Ｔ３が、９５０ｎｓｅｃと１０５０ｎｓｅｃとに切り替わる。
【００８４】
このように、（実施の形態１）では、パネル温度にもとづき、維持パルスの立ち上がり期間を切り替えることで、パネル温度が高温のときには、パネル面内の維持放電が瞬時に行われ、維持放電時の電圧降下の影響を小さくすることができるとともに、維持放電を安定に発生させるに十分な維持電圧保持期間（期間Ｔ６）を確保することができるため、安定した維持放電が可能となる。また、パネル温度が高温ではないときには、維持パルスの立ち上がり期間（期間Ｔ５）を長く設定するために、無効電力を低下させ、パネルの発光効率を向上させることができる。
【００８５】
なお、スイッチング素子Ｑ１２は時刻ｔ２ｂ以降、時刻ｔ５ａまでにオフすればよく、スイッチング素子Ｑ２１は時刻ｔ３以降、時刻ｔ４までにオフすればよい。また、スイッチング素子Ｑ２２は時刻ｔ５ｂ以降、次の時刻ｔ２ａまでにオフすればよく、スイッチング素子Ｑ１１は時刻ｔ６以降、次の時刻ｔ１までにオフすればよい。また、維持パルス発生回路５０、維持パルス発生回路６０の出力インピーダンスを下げるために、スイッチング素子Ｑ２４は時刻ｔ２ａ直前に、スイッチング素子Ｑ１３は時刻ｔ１直前にオフにすることが望ましく、スイッチング素子Ｑ１４は時刻ｔ５ａ直前に、スイッチング素子Ｑ２３は時刻ｔ４直前にオフにすることが望ましい。
【００８６】
維持期間においては、以上の期間Ｔ１〜Ｔ６の動作を、必要なパルス数に応じて繰り返す。このようにして、ベース電位である０（Ｖ）から維持放電を発生させる電位である電圧Ｖｓに変位する維持パルス電圧を、表示電極対２４のそれぞれに交互に印加して放電セルを維持放電させる。
【００８７】
ここで、（実施の形態１）においては、温度推定回路４６が判断するパネル温度に応じて維持パルス波形を制御している。この、パネル温度による維持パルス波形の違いについて、図８を用いて説明する。
【００８８】
図８は、本発明の一実施の形態における維持パルス発生回路５０、維持パルス発生回路６０のタイミングチャートの他の例を示す図である。
【００８９】
（実施の形態１）の１つの例では、上述したように、パネル温度が高温しきい値（６０℃）未満のときと、以上のときとで、スイッチング素子Ｑ２３をオンにする時刻ｔ２と、スイッチング素子Ｑ１３をオンにする時刻ｔ６とを変更して、維持パルスの立ち上がり期間を切換える構成としている。
【００９０】
具体的には、温度推定回路４６において、判断したパネル温度が高温しきい値（（実施の形態１）では、６０℃）以上と判断したときには、図８に示すように、スイッチング素子Ｑ２３を、時刻ｔ２よりも所定の時間（（実施の形態１）では１００ｎｓｅｃ）早い時刻ｔ３’でオンにする。また、スイッチング素子Ｑ１３をタイミングを時刻ｔ６よりも所定の時間（（実施の形態１）では１００ｎｓｅｃ）早い時刻ｔ６’でオンにする。
【００９１】
このようにして、（実施の形態１）では、パネル温度が高温しきい値（６０℃）以上のときには、立ち上がり期間Ｔ２’（時刻ｔ２ａ〜時刻ｔ３’）およびＴ５’（時刻ｔ５ａ〜時刻ｔ６’）を、図７の波形の立ち上がり期間Ｔ２（時刻ｔ２ａ〜時刻ｔ３）およびＴ５（時刻ｔ５ａ〜時刻ｔ６）の８００ｎｓｅｃよりも、１００ｎｓｅｃ短縮した７００ｎｓｅｃに設定し、維持パルスの立ち上がり期間を８００ｎｓｅｃから７００ｎｓｅｃに短縮する構成としている。
【００９２】
これにより、パネル温度が高温（（実施の形態１）ではパネル温度が６０℃以上）のときのみ、維持パルスの立ち上がり期間を短縮することで、維持電圧保持期間を十分に確保することで、維持放電を安定させ、パネル温度が高温ではないとき（本実施の形態では、パネル温度が６０℃未満）には、立ち上がり期間をパネル温度が高温に比べて長く設定するために、維持放電を安定させつつ、無効電力を減少させ、パネルの発光効率を向上させることができる。
【００９３】
以上説明したように、（実施の形態１）によれば、温度推定回路４６が高温と判断したときには、維持パルス発生回路は、常温または低温と判断したときよりも、維持パルスの立ち上がり期間を短くすることで、パネルの温度が高温であっても、安定した維持放電を行うとともに、無効電力を低下させ、発光効率を向上させることが可能となる。
【００９４】
次に、本発明の一実施の形態における維持パルス波形の別の制御について、図９を用いて説明する。図９は、本発明の一実施の形態における維持パルス発生回路５０、維持パルス発生回路６０のタイミングチャートの他の例を示す。
【００９５】
（実施の形態１）の２つ目の例では、パネル温度が高温しきい値（６０℃）未満のときと、以上のときとで、スイッチング素子Ｑ１２をオンにする時刻と、スイッチング素子Ｑ２２をオンにする時刻とを変更して、維持パルスの立ち下がり期間を切り替える構成としている。
【００９６】
具体的には、温度推定回路４６において、判断したパネル温度が高温しきい値（（実施の形態１）では、６０℃）以上と判断したときには、図９に示すように、スイッチング素子Ｑ１２を、時刻ｔ１よりも所定の時間（（実施の形態１）では１００ｎｓｅｃ）遅い時刻ｔ１’でオンにする。また、スイッチング素子Ｑ２２をタイミングを時刻ｔ４よりも所定の時間（（実施の形態１）では１００ｎｓｅｃ）遅い時刻ｔ４’でオンにする。
【００９７】
このようにして、（実施の形態１）の２つ目の例では、パネル温度が高温しきい値（６０℃）以上のときには、立ち下がり期間Ｔ１’（時刻ｔ１’〜時刻ｔ２ｂ）およびＴ４’（時刻ｔ４’〜時刻ｔ５ｂ）を、図７の波形の例における立ち下がり期間Ｔ１（ｔ１〜時刻ｔ２ｂ）およびＴ４（時刻ｔ４〜時刻ｔ５ｂ）の８５０ｎｓｅｃよりも、１００ｎｓｅｃ短縮した７５０ｎｓｅｃに設定し、維持パルスの立ち下がり期間を８５０ｎｓｅｃから７５０ｎｓｅｃに短縮する構成としている。
【００９８】
これにより、パネル温度が高温（（実施の形態１）ではパネル温度が６０℃以上）のときのみ、維持パルスの立ち下がり期間を短縮し、維持電圧保持期間を十分に確保することで、維持放電を安定させ、パネル温度が高温ではないとき（本実施の形態では、パネル温度が６０℃未満）には、立ち下がり期間をパネル温度が高温に比べて長く設定するために、維持放電を安定させつつ、無効電力を減少させ、パネルの発光効率を向上させることができる。
【００９９】
以上説明したように、（実施の形態１）の２つ目の例によれば、温度推定回路４６が高温と判断したときには、維持パルス発生回路は、常温または低温と判断したときよりも、維持パルスの立ち下がり期間を短くすることで、パネルの温度が高温であっても、安定した維持放電を行うとともに、無効電力を低下させ、発光効率を向上させることが可能となる。
【０１００】
次に、本発明の一実施の形態における維持パルス波形の別の制御について、図１０を用いて説明する。図１０は、本発明の一実施の形態における維持パルス発生回路５０、維持パルス発生回路６０のタイミングチャートの他の例を示す図である。
【０１０１】
（実施の形態１）の３つ目の例では、パネル温度が高温しきい値（６０℃）未満のときと、以上のときとで、スイッチング素子Ｑ２１をオンにする時刻ｔ２ａ’と、スイッチング素子Ｑ１１をオンにする時刻ｔ５ａ’とを変更して、維持パルスの重複期間を切り替える構成としている。
【０１０２】
具体的には、温度推定回路４６において、判断したパネル温度が高温しきい値（（実施の形態１）では、６０℃）以上と判断したときには、図１０に示すように、スイッチング素子Ｑ２１を、時刻ｔ２ａよりも所定の時間（（実施の形態１）では１００ｎｓｅｃ）遅い時刻ｔ２ａ’でオンにする。また、スイッチング素子Ｑ１１をタイミングを時刻ｔ５ａよりも所定の時間（（実施の形態１）では１００ｎｓｅｃ）遅い時刻ｔ５ａ’でオンにする。
【０１０３】
このようにして、（実施の形態１）の３つ目の例では、パネル温度が高温しきい値（６０℃）以上のときには、重複期間時刻ｔ２ａ’〜時刻ｔ２ｂおよび時刻ｔ５ａ’〜時刻ｔ５ｂを、図７の波形例における重複期間時刻ｔ２ａ〜時刻ｔ２ｂおよび時刻ｔ５ａ〜時刻ｔ５ｂの２００ｎｓｅｃよりも１００ｎｓｅｃ短縮した１００ｎｓｅｃにし、また立ち上がり期間Ｔ２’（時刻ｔ２ａ’〜時刻ｔ３）およびＴ５’（時刻ｔ５ａ’〜時刻ｔ６）を、図７の波形例における立ち上がり期間Ｔ２（ｔ２ａ〜時刻ｔ３）およびＴ５（時刻ｔ５ａ〜時刻ｔ６）の８００ｎｓｅｃよりも１００ｎｓｅｃ短縮した７００ｎｓｅｃに設定し、維持パルスの立ち上がり期間を８００ｎｓｅｃから７００ｎｓｅｃに短縮する構成としている。
【０１０４】
これにより、パネル温度が高温（（実施の形態１）ではパネル温度が６０℃以上）のときのみ、重複期間の短縮で立ち上がり期間が短縮されることで、パネル面内の維持放電が瞬時に行われ、維持放電時の電圧降下の影響を小さくすることができるために、維持放電を安定させることができる。また、パネル温度が高温ではないとき（本実施の形態では、パネル温度が６０℃未満）には、重複期間をパネル温度が高温に比べて長く設定するために、立ち上がり期間が長く設定され、維持放電を安定させつつ、無効電力を減少させ、パネルの発光効率を向上させることができる。
【０１０５】
以上説明したように、（実施の形態１）の３つ目の例によれば、温度推定回路４６が高温と判断したときには、維持パルス発生回路は、常温または低温と判断したときよりも、維持パルスの重複期間を短くすることで、パネルの温度が高温であっても、安定した維持放電を行うとともに、無効電力を低下させ、発光効率を向上させることが可能となる。
【０１０６】
次に、本発明の一実施の形態における維持パルス波形の別の制御について、説明する。
上述してきたように、維持放電を安定させるためには、維持パルスの立ち上がり期間を短縮することで、パネル面内の維持放電を瞬時に行わせ、維持放電時の電圧降下の影響を小さくして、維持放電を安定させる方法と、維持パルスの立ち上がり期間を短縮して、維持電圧保持期間を長く確保することで、維持放電を安定させる方法とがあると説明してきた。
【０１０７】
ところが、これらの方法では、パネル温度が高温のときのみ維持パルスの立ち上がり期間や立ち下がり期間を短縮するため、高温ではないときに比べて、無効電力の上昇やパネルの発光効率の低下が生じる。
【０１０８】
そこで、本発明の一実施の形態における維持パルス波形の制御方法の４つ目の例は、維持パルスの立ち上がり期間や立ち下がり期間を変化せず、維持電圧保持期間を変化させる。つまり、パネル温度が高温しきい値（６０℃）未満のときと、以上のときとで、維持周期を切り替える構成とする。
【０１０９】
具体的には、温度推定回路４６において、判断したパネル温度が高温しきい値（（実施の形態１）では、６０℃）以上と判断したときには、維持周期を４００ｎｅｓｃ延長する。
【０１１０】
これにより、パネル温度が高温（（実施の形態１）ではパネル温度が６０℃以上）のときのみ、維持電圧保持期間が延長されることで、維持電圧保持期間を十分に確保することで、維持放電を安定させることができる。また、パネル温度が高温ではないとき（本実施の形態では、パネル温度が６０℃未満）には、維持周期を短縮されるが、維持電圧保持期間は十分に確保できているため、維持放電を安定させることができる。よって、パネル温度がどの温度であっても、維持放電を安定させつつ、無効電力を減少させ、パネルの発光効率を向上させることができる。
【０１１１】
以上説明したように、（実施の形態１）の４つ目の例によれば、温度推定回路４６が高温と判断したときには、維持パルス発生回路は、常温または低温と判断したときよりも、維持パルスの重複期間を短くすることで、パネルの温度が高温であっても、安定した維持放電を行うとともに、無効電力を低下させ、発光効率を向上させることが可能となる。
【０１１２】
なお、（実施の形態１）では、パネル温度による維持パルスの切り替えで、維持パルスの立ち上がり期間、立ち下がり期間、重複期間、維持周期の４つの切り替えを示したが、これらの４つの切り替えがそれぞれ独立している必要はなく、これらの切り替えを組み合わせた維持パルスの切り替えにしても、同様の効果を得ることができる。例えば、パネル温度が高温のときに、維持パルスの立ち上がり期間と立ち下がり期間を５０ｎｓｅｃずつ短縮するような切り替えをしてもよい。
【０１１３】
（実施の形態２）
本実施の形態が（実施の形態１）と異なる点は、パネル温度による維持パルスの切り替えを、後述する点灯率検出回路で計測されるサブフィールド毎の点灯率に応じて制御していることである。これにより、パネル温度が高温になるときに維持パルスを切り替えることで、高温でないときに比べて、無効電力が上昇したり、パネルの発光効率が低下したりすることを極力抑制することができる。以下、まず駆動回路の構成について説明し、続いて、点灯率に応じて制御する維持パルス波形の違いについて説明する。
【０１１４】
（実施の形態２）におけるプラズマディスプレイ装置の構成について説明する。図１１は、本発明の一実施の形態におけるプラズマディスプレイ装置の回路ブロック図である。本発明の実施の形態２におけるプラズマディスプレイ装置１は、実施の形態１で述べたプラズマディスプレイ装置１に、点灯率検出回路４７を備えている。
【０１１５】
点灯率検出回路４７を除いては、実施の形態１で述べた構成と同じであるため、ここでは、点灯率検出回路４７のみについて説明する、点灯率検出回路４７は、サブフィールド毎の画像データにもとづき、全放電セル数に対する点灯放電セル数の割合、すなわち放電セルの点灯率をサブフィールド毎に検出する。そして、検出した点灯率をあらかじめ定めた点灯率しきい値と比較し、その判定の結果を表す信号をタイミング発生回路４５に出力する。そして、（実施の形態２）においては、パネル温度による維持パルスの切り替えを、点灯率にもとづいて制御しており、それに応じたタイミング信号を走査電極駆動回路４３および維持電極駆動回路４４に出力する。これにより、パネル温度が高温になるときに、点灯率の高いサブフィールドに限定して、維持パルスを切り替えることで、高温でないときや、高温であっても、高点灯率のサブフィールドが点灯しないときに比べて、無効電力が上昇したり、パネルの発光効率が低下したりすることを極力抑制することができる。
【０１１６】
具体的な点灯率とパネル温度による維持パルスの制御方法を説明する。図１２は本発明の一実施の形態におけるサブフィールド毎の点灯率とパネル温度とによる維持パルスの制御方法の例を示す図である。
【０１１７】
図１２には、パネル温度しきい値を６０℃に、サブフィールド毎の点灯率しきい値を５０％と８０％に設定した場合の維持パルスの切り替えを示しており、切り替える前の維持パルスを「Ｘ」、切り替えた後の維持パルスを「Ｙ１」および「Ｙ２」と記している。たとえば、実施の形態１で、立ち上がり期間を切り替える例を示したが、その場合、維持パルスの立ち上がり期間の長さは、「Ｙ２」＜「Ｙ１」＜「Ｘ」となる関係にある。つまり、「Ｘ」が立ち上がり期間８００ｎｓｅｃの維持パルスを、「Ｙ１」または「Ｙ２」が立ち上がり期間７００ｎｓｅｃの維持パルスを表す。同様に、立ち下がり期間や重複期間を切り替える場合でも、それぞれの期間が、「Ｙ２」＜「Ｙ１」＜「Ｘ」となる関係にあるし、維持周期を切り替える場合は、維持周期が、「Ｘ」＜「Ｙ１」＜「Ｙ２」となる関係にある。ここでは、点灯率のしきい値を２つ設定しており、パネル温度が高温のときに、点灯率によって「Ｙ１」と「Ｙ２」の２つの維持パルスを切り替えている。
【０１１８】
図１２では、パネル温度６０℃未満の場合は、点灯率に関係なくすべてのサブフィールドの維持パルスを「Ｘ」に、パネル温度が６０℃以上であっても、点灯率が５０％未満のサブフィールドの維持パルスを「Ｘ」に、パネル温度が６０℃以上で、点灯率が５０％以上８０％未満のサブフィールドの維持パルスを「Ｙ１」に、パネル温度が６０℃以上で、点灯率が８０％以上のサブフィールドの維持パルスを「Ｙ２」に設定をしている。
【０１１９】
具体的な例として維持パルスの立ち上がり期間を切り替える場合には、維持パルス「Ｘ」の立ち上がり期間を８００ｎｓｅｃに、維持パルス「Ｙ１」の立ち上がり期間を７５０ｎｓｅｃに、維持パルス「Ｙ２」の立ち上がり期間を７００ｎｓｅｃに設定するような維持パルスの切り替え方法がある。
【０１２０】
点灯率によって維持パルスの切り替えを変化させる利点を説明する。放電セルが維持放電をする際に発生する走査電極および維持電極における電圧降下は、点灯率が高くなるほど大きくなるし、点灯率が低い場合は、小さくなる。この特徴を利用し、パネル温度が高くても、点灯率が低い場合には、維持放電をする際に発生する走査電極および維持電極における電圧降下は小さい。よって、パネル温度が高温においては、すべてのサブフィールドで維持パルスを切り替えなくても、点灯率の高いサブフィールドに限定して維持パルスを切り替えれば、安定した維持放電が可能となる。このように、パネル温度が高いときの維持パルスの切り替えを点灯率の高いサブフィールドのみに限定することで、実施の形態１の場合のようにすべてのサブフィールドで維持パルスを切り替えるよりも、高温のときに切り替えた維持パルスによる無効電力の上昇や発光効率の低下を、抑制することができる。
【０１２１】
なお、（実施の形態２）では、点灯率のしきい値を５０％と８０％、パネル温度のしきい値を６０℃に設定しているが、何らこれらの数値に限定されるものではなく、プラズマディスプレイ装置の仕様、パネルの特性、駆動回路の特性等にもとづいて適宜最適な値に設定することが望ましい。
【０１２２】
また、（実施の形態２）では、維持パルスの切り替えで、維持パルスの立ち上がり期間、立ち下がり期間、重複期間、維持周期の４つの切り替え方法を示したが、これらの４つの切り替えがそれぞれ独立している必要はなく、これらの切り替えを組み合わせた維持パルスの切り替えにしても、同様の効果を得ることができる。例えば、維持パルス「Ｙ１」や「Ｙ２」を立ち上がり期間と立ち下がり期間を同時に変化させるような維持パルスとしてもよい。
【０１２３】
（実施の形態３）
本実施の形態が（実施の形態１）および（実施の形態２）と異なる点は、パネル温度による維持パルスの切り替えを、後述する点灯時間検出回路で計測される点灯時間に応じて制御していることである。これにより、パネル温度が高温になるときに維持パルスを切り替えることで、高温でないときに比べて、無効電力が上昇したり、パネルの発光効率が低下したりすることを極力抑制することができる。以下、まず駆動回路の構成について説明し、続いて、点灯時間に応じて制御する維持パルス波形の違いについて説明する。
【０１２４】
（実施の形態３）におけるプラズマディスプレイ装置の構成について説明する。図１３は、本発明の一実施の形態におけるプラズマディスプレイ装置の回路ブロック図である。本発明の実施の形態３におけるプラズマディスプレイ装置１は、実施の形態１で述べたプラズマディスプレイ装置１に、点灯時間検出回路４８を備えている。
【０１２５】
点灯時間検出回路４８を除いては、実施の形態１で述べた構成と同じであるため、ここでは、点灯時間検出回路４８のみについて説明する、点灯時間検出回路４８は、プラズマディスレイ装置が画像を表示している時間、すなわちパネルの面内で放電セルが点灯をしている時間を検出する。そして、検出した点灯時間をあらかじめ定めた点灯率しきい値と比較し、その判定の結果を表す信号をタイミング発生回路４５に出力する。そして、（実施の形態３）においては、パネル温度による維持パルスの切り替えを、点灯時間にもとづいて制御しており、それに応じたタイミング信号を走査電極駆動回路４３および維持電極駆動回路４４に出力する。これにより、パネル温度が高温になるときに、点灯時間の長い場合においては、さらに維持パルスの切り替えをすることで、高温でないときや、高温であっても、点灯時間の少ない場合に比べて、無効電力が上昇したり、パネルの発光効率が低下したりすることを極力抑制することができる。
【０１２６】
具体的な点灯時間とパネル温度による維持パルスの制御方法を説明する。図１４は本発明の一実施の形態における点灯時間とパネル温度とによる維持パルスの制御方法の例を示す図である。図１４には、パネル温度しきい値を６０℃に、点灯時間しきい値を１５００時間と３０００時間に設定した場合の維持パルスの切り替えを示しており、切り替える前の維持パルスを「Ｘ」、切り替えた後の維持パルスを「Ｙ１」および「Ｙ２」、「Ｙ３」と記している。たとえば、実施の形態１で、立ち上がり期間を切り替える例を示したが、その場合、維持パルスの立ち上がり期間の長さは、「Ｙ３」＜「Ｙ２」＜「Ｙ１」＜「Ｘ」となる関係にある。つまり、「Ｘ」が立ち上がり期間８００ｎｓｅｃの維持パルスを、「Ｙ１」または「Ｙ２」や「Ｙ３」が立ち上がり期間７００ｎｓｅｃの維持パルスを表す。同様に、立ち下がり期間や重複期間を切り替える場合でも、それぞれの期間が、「Ｙ３」＜「Ｙ２」＜「Ｙ１」＜「Ｘ」となる関係にあるし、維持周期を切り替える場合は、維持周期が、「Ｘ」＜「Ｙ１」＜「Ｙ２」＜「Ｙ３」となる関係にある。ここでは、点灯時間のしきい値を２つ設定しており、パネル温度が高温のときに、点灯時間によって「Ｙ１」と「Ｙ２」および「Ｙ３」の３つの維持パルスを切り替えている。
【０１２７】
図１４では、パネル温度６０℃未満の場合は、点灯時間に関係なくすべての維持パルスを「Ｘ」に、パネル温度が６０℃以上であって、点灯時間が１５００時間未満では維持パルスを「Ｙ１」に、パネル温度が６０℃以上で、点灯時間が１５００時間以上３０００時間未満では維持パルスを「Ｙ２」に、パネル温度が６０℃以上で、点灯時間が３０００時間以上では維持パルスを「Ｙ３」に設定をしている。
【０１２８】
具体的な例として維持パルスの立ち上がり期間を切り替える場合には、維持パルス「Ｘ」の立ち上がり期間を８００ｎｓｅｃに、維持パルス「Ｙ１」の立ち上がり期間を７５０ｎｓｅｃに、維持パルス「Ｙ２」の立ち上がり期間を７００ｎｓｅｃに、維持パルス「Ｙ３」の立ち上がり期間を６５０ｎｓｅｃに設定するような維持パルスの切り替え方法がある。
【０１２９】
点灯時間によって維持パルスの切り替えを変化させる利点を説明する。維持放電は点灯時間が長くなると、維持放電の放電開始電圧が上昇する。これは、維持放電によって、図１で示したパネルの保護層２６の表面は活性化される。同時に図１で示したパネルの蛍光体層３５からは、中に含まれる不純ガスが叩き出される。このとき、保護層２６の表面は活性化されているため、保護層２６の表面に不純ガスが吸着してしまい、放電開始電圧が低下すると考えられている。この現象は、パネルの保護層２６の表面積に比例すると考えられ、点灯時間がある程度経過すると、パネルの保護層２６の表面の凹凸が均一化され、表面積が一定となって、飽和すると考えられている。
【０１３０】
また、画像を表示しているときは、パネルの面内すべての放電セルが維持放電をするのではなく、画像に応じていろいろな位置の放電セルが維持放電をする。つまり、パネル面内のすべての放電セルが常に均一に維持放電をしている訳ではなく、画像を表示していくにつれて、点灯している時間の長い放電するセルもあれば、点灯時間の少ない放電セルも存在してくる。このようにパネル面内で放電セルに点灯時間の差が生じるということは、パネル面内で放電開始電圧に差が生じてしまう。また、パネルの製造においても、各放電セルが完全に同じ設計値で仕上げることは大変難しく、例えば図１で示した誘電体層２５や保護層２６、蛍光体層３５などの厚みがパネル面内でばらつくこともあるし、パネルを形成する各材料の特性がばらつくこともある。
【０１３１】
このような場合には、上述のような点灯時間によるパネル面内の放電開始電圧の差がさらに大きくなることがある。このようなパネル面内で放電開始電圧に大きな差が生じた放電セルが、同じタイミングで維持放電を行う場合、放電開始電圧の低いセルは維持パルスが印加されてから早いタイミングで維持放電を開始し、放電開始電圧の高いセルは、維持パルスが印加されてから遅いタイミングで維持放電を開始する。上述したように、維持期間では、維持電圧Ｖｓで維持放電を起こし、維持電圧Ｖｓに保持している期間で壁電荷を蓄えて維持放電を繰り返すのだが、維持放電を早いタイミングで開始するセルは、維持放電の後に壁電荷を蓄えようとしたときに、維持放電を遅いタイミングで開始するセルの維持放電による維持電圧の電圧降下によって、壁電荷を蓄える維持電圧Ｖｓが低くなり、十分な壁電荷を蓄えることができなくなる。よって、維持電圧の早いセルは、続く維持パルスの電圧Ｖｓでは放電開始電圧を超えることができず、維持放電ができなくなり、不灯になってしまう。特に、上述してきたように、パネル温度が高いときには、パネルの温度上昇に伴う維持電圧の電圧降下が発生するため、このような放電開始電圧の差によって維持放電ができず不灯になる現象は顕著になる。
【０１３２】
従来の維持パルスでは、パネル温度の上昇に伴う電圧降下とともに、点灯時間によるパネル面内の放電開始電圧の差も考慮して、維持パルスの設定を行っており、例えば、維持パルスの立ち上がり期間や立ち下がり期間をパネル面内の放電開始電圧の差が小さいときに比べて短い期間に設定し、放電開始電圧の差によらず、常に安定した維持放電が行えるようにしている。しかし、このような場合には、点灯時間が短くパネル面内で放電開始電圧の差が小さいときに対しては、必要以上に維持パルスの立ち上がり期間や立ち下がり期間を短くしているため、無効電力の上昇やパネルの発光効率の低下が生じてしまう。
【０１３３】
そこで、（実施の形態３）では、維持パルスの設定を、パネル温度だけではなく、点灯時間によっても切り替えることにし、パネル温度が高く、点灯時間が長くなると、実施の形態１で述べたように、維持パルスをより安定した維持放電ができるように、維持パルスの立ち上がり期間や立ち下がり期間、重複期間を短く設定したり、維持周期を長く設定したりするように切り替えるのである。このように点灯時間によっても、維持パルスを切り替えることで、常に安定した維持放電を可能としながらも、無効電力の上昇やパネルの発光効率の低下を抑制させることができる。
【０１３４】
なお、（実施の形態３）では、点灯時間のしきい値を１５００時間と３０００時間、パネル温度のしきい値を６０℃に設定しているが、何らこれらの数値に限定されるものではなく、プラズマディスプレイ装置の仕様、パネルの特性、駆動回路の特性等にもとづいて適宜最適な値に設定することが望ましい。
【０１３５】
また、（実施の形態３）では、維持パルスの切り替えで、維持パルスの立ち上がり期間、立ち下がり期間、重複期間、維持周期の４つの切り替え方法を示したが、これらの４つの切り替えがそれぞれ独立している必要はなく、これらの切り替えを組み合わせた維持パルスの切り替えにしても、同様の効果を得ることができる。例えば、維持パルス「Ｙ１」や「Ｙ２」、「Ｙ３」を立ち上がり期間と立ち下がり期間を同時に変化させるような維持パルスとしてもよい。
【０１３６】
また、本発明の実施の形態２で示したように、点灯率に応じて制御する方法においても、点灯時間による制御を併せて導入し、図１５のように、点灯率検出回路４７と点灯時間検出回路４８を併せ持つ構成として、パネル温度と点灯率と点灯時間によっても、維持パルスを切り替えてもよい。
【０１３７】
なお、（実施の形態１）および実施の形態２や実施の形態３では、パネル温度しきい値として６０℃を設定し、パネル温度６０℃未満か６０℃以上かで、維持パルスを変更する構成を説明したが、パネル温度値を１つに限定するものではなく、２つあるいはそれ以上のパネル温度しきい値を設定した構成としてもよい。例えば、５０℃、６０℃、７０℃といった複数のしきい値を設定し、パネル温度が各しきい値以上となる毎に、徐々に立ち上がり期間を短縮させたり、維持周期を長くさせたりするような構成としてもよい。同様に、点灯率しきい値や点灯時間しきい値も、しきい値の数を限定するものではない。
【０１３８】
なお、本（実施の形態１）および実施の形態２や実施の形態３では、維持パルスの種類を１つとしてパネル温度による切り替えを示したが、維持パルスが通常のパルスと急峻のパルスのような２種類以上の維持パルスを設定している場合においても、そのなかで、１種類のみの維持パルスに対して切り替えを行ってもよいし、また２種類以上の維持パルスに対して切り替えを行ってもよい。
【０１３９】
なお、本（実施の形態１）および実施の形態２や実施の形態３では、放電ガスのキセノン分圧を１０％としたが、他のキセノン分圧であってもそのパネルに応じた駆動電圧に設定すればよい。
【０１４０】
また、本（実施の形態１）および実施の形態２や実施の形態３において用いたその他の具体的な各数値は、単に一例を挙げたに過ぎず、パネルの特性やプラズマディスプレイ装置の仕様等に合わせて、適宜最適な値に設定することが望ましい。また、これらの各数値は、上述した効果を得られる範囲でのばらつきを許容するものとする。
【産業上の利用可能性】
【０１４１】
本発明は、無効電力を低下させパネルの発光効率を向上させることができるので、プラズマディスプレイパネルの駆動方法として有用である。
【図面の簡単な説明】
【０１４２】
【図１】本発明の一実施の形態におけるパネルの構造を示す分解斜視図
【図２】同パネルの電極配列図
【図３】本発明の一実施の形態におけるサブフィールド構成を示す図
【図４】本発明の一実施の形態におけるパネルの各電極に印加する駆動電圧波形図
【図５】本発明の一実施の形態におけるプラズマディスプレイ装置の回路ブロック図
【図６】本発明の一実施の形態における維持パルス発生回路の回路図
【図７】同維持パルス発生回路の動作を説明するためのタイミングチャート
【図８】同維持パルス発生回路のタイミングチャートの他の例を示す図
【図９】同維持パルス発生回路のタイミングチャートの他の例を示す図
【図１０】同維持パルス発生回路のタイミングチャートの他の例を示す図
【図１１】本発明の一実施の形態におけるプラズマディスプレイ装置の回路ブロック図
【図１２】本発明の一実施の形態におけるパネル温度とサブフィールド毎の点灯率と維持パルスとの関係の例を示す図
【図１３】本発明の一実施の形態におけるプラズマディスプレイ装置の回路ブロック図
【図１４】本発明の一実施の形態におけるパネル温度と点灯時間と維持パルスとの関係の例を示す図
【図１５】本発明の一実施の形態におけるプラズマディスプレイ装置の回路ブロック図
【符号の説明】
【０１４３】
１  プラズマディスプレイ装置
１０  パネル
２１  （ガラス製の）前面板
２２  走査電極
２３  維持電極
２４  表示電極対
２５、３３  誘電体層
２６  保護層
３１  背面板
３２  データ電極
３４  隔壁
３５  蛍光体層
４１  画像信号処理回路
４２  データ電極駆動回路
４３  走査電極駆動回路
４４  維持電極駆動回路
４５  タイミング発生回路
４６  温度推定回路
４７  点灯率検出回路
４８  点灯時間検出回路
５０、６０  維持パルス発生回路
５１、６１  電力回収回路
５２、６２  クランプ回路
７０  温度センサ
【図１】
2009282417.tif 000003
【図２】
2009282417.tif 000004
【図３】
2009282417.tif 000005
【図４】
2009282417.tif 000006
【図５】
2009282417.tif 000007
【図６】
2009282417.tif 000008
【図７】
2009282417.tif 000009
【図８】
2009282417.tif 000010
【図９】
2009282417.tif 000011
【図１０】
2009282417.tif 000012
【図１１】
2009282417.tif 000013
【図１２】
2009282417.tif 000014
【図１３】
2009282417.tif 000015
【図１４】
2009282417.tif 000016
【図１５】
2009282417.tif 000017